(57)【要約】【課題】快適な選局操作が可能なデジタル放送受信機を提供することである。【解決手段】テレビジョン受像機１００は、ＴＳデコーダ１０３、編集部１０６、受信強度検出部１０９、判別部１１０およびサービスリスト記憶部１１１を含む。ＴＳデコーダ１０３はトランスポートストリームから電子番組ガイドデータおよびサービスリストデータ等を分離する。受信強度検出部１０９は、選局中の物理チャンネルの受信強度を検出し、受信可能な階層を判定する。判別部１１０は、受信強度検出部１０９の判定結果に基づいてサービスリストの各サービスについて受信可能か否かを判別し、受信可能と判別したサービスのＩＤ番号をサービスリスト記憶部１１１に記憶させる。編集部１０６は、ＴＳデコーダ１０３により分離された電子番組ガイドデータおよびサービスリスト記憶部１１１に記憶されたＩＤ番号に基づいて、受信可能なサービスのみの電子番組ガイドデータを生成する。【選択図】図１
2007325153.tif 000002
【特許請求の範囲】
【請求項１】
階層変調された放送信号を受信するデジタル放送受信機であって、
複数の周波数帯域の放送信号を受信する受信手段と、
前記受信手段により受信された放送信号からトランスポートストリームを復調する復調手段と、
各周波数帯域において放送されるサービスの一覧情報を前記復調手段により復調されたトランスポートストリームから抽出する抽出手段と、
前記受信手段により受信される放送信号の状態に基づいて受信可能な放送信号の階層を判定する階層判定手段と、
前記階層判定手段の判定結果に基づいて前記抽出手段により抽出された一覧情報から受信可能な階層で放送されるサービスを選別する選別手段と、
前記選別手段により選別されたサービスから使用者の操作に基づいてサービスを選択する選択手段とを備えることを特徴とするデジタル放送受信機。
【請求項２】
前記階層判定手段は、前記受信手段による放送信号の受信強度を放送信号の状態として検出し、検出した受信強度に基づいて受信可能な放送信号の階層を判定することを特徴とする請求項１記載のデジタル放送受信機。
【請求項３】
前記階層判定手段は、前記受信手段により受信される放送信号のレベル、キャリア／ノイズ比およびエラー率の少なくとも１つを検出することにより受信強度を検出することを特徴とする請求項２記載のデジタル放送受信機。
【請求項４】
前記一覧情報は、各サービスの階層に関する情報を含み、
前記選別手段は、前記階層に関する情報および前記階層判定手段の判定結果に基づいて前記一覧情報から受信可能な階層で放送されるサービスを選別することを特徴とする請求項１〜３のいずれかに記載のデジタル放送受信機。
【請求項５】
前記一覧情報は、各サービスを特定するための情報を含み、
当該デジタル放送受信機は、前記サービスを特定するための情報と階層との関係を記憶する記憶部と、
前記記憶部に記憶される前記関係に基づいて前記一覧情報における各サービスの階層を判別する判別手段とをさらに備え、
前記選別手段は、前記判別手段により判別された各サービスの階層および前記階層判定手段の判定結果に基づいて前記一覧情報から受信可能な階層で放送されるサービスを選別することを特徴とする請求項１〜３のいずれかに記載のデジタル放送受信機。
【請求項６】
階層変調された放送信号を受信するデジタル放送受信機であって、
複数の周波数帯域の放送信号を受信する受信手段と、
前記受信手段により受信された放送信号からトランスポートストリームを復調する復調手段と、
各周波数帯域において放送されるサービスの一覧情報およびサービスごとに放送信号に多重されるサービスに関する情報を前記復調手段により復調されたトランスポートストリームから抽出する抽出手段と、
前記抽出手段により抽出されたサービスに関する情報に対応するサービスを前記抽出手段により抽出された一覧情報から選別する選別手段と、
前記選別手段により選別されたサービスから使用者の操作に基づいてサービスを選択する選択手段とを備えることを特徴とするデジタル放送受信機。
【請求項７】
前記サービスに関する情報は、番組対応テーブルであることを特徴とする請求項６記載のデジタル放送受信機。
【請求項８】
前記サービスに関する情報は、イベント情報テーブルであることを特徴とする請求項６記載のデジタル放送受信機。
【請求項９】
前記サービスに関する情報は、番組対応テーブルおよびイベント情報テーブルを含み、
当該デジタル放送受信機は、前記サービスの受信状態を判定する受信状態判定手段をさらに備え、
前記受信状態判定手段は、
前記抽出手段が前記番組対応テーブルおよび前記イベント情報テーブルを抽出した場合に、当該番組対応テーブルおよびイベント情報テーブルに対応するサービスを前記受信手段が受信可能でありかつ当該サービスが放送中であると判定し、
前記抽出手段が番組対応テーブルを抽出せずにイベント情報テーブルを抽出した場合に、当該イベント情報テーブルに対応するサービスを前記受信手段が受信可能でありかつ当該サービスが放送休止中であると判定することを特徴とする請求項６記載のデジタル放送受信機。
【発明の詳細な説明】
【技術分野】
【０００１】
本発明は、デジタル放送受信機に関する。
【背景技術】
【０００２】
一般に、デジタル放送受信機は、設置時にチャンネルスキャンを行うことにより、受信可能な物理チャンネルを判別している（例えば、特許文献１参照）。なお、物理チャンネルとは、各放送局に割り当てられた周波数帯域を示すチャンネルである。
【０００３】
また、デジタル放送受信機は、チャンネルスキャンを行う際に、各放送局の放送信号からサービスリストデータを取得している。なお、サービスリストデータは物理チャンネルごとに作成される。サービスリストデータには、各物理チャンネルにおいて放送されるサービスを特定するＩＤ（識別）番号およびサービス名（例えば、テレビ放送、ラジオ放送およびデータ放送等）が含まれている。
【０００４】
また、デジタル放送受信機は、取得したサービスリストデータに基づいてチャンネルリストを作成している。チャンネルリストとは、デジタル放送受信機が受信するサービスの一覧を物理チャンネルごとに整理したものである。例えば、番組表等である。視聴者は、上記作成されたチャンネルリストから所望のサービスを選択することにより、そのサービスを視聴することができる。
【０００５】
ところで、例えば日本におけるデジタル放送においては、各放送局に６ＭＨｚの周波数帯域が割り当てられている。各放送局は、帯域幅６ＭＨｚを１４ブロックに等分したうちの１３ブロックを用いて放送を行い、残りの１ブロック分を隣接する周波数帯域の放送との混信を防止するために用いている。以下、放送に用いる上記１３ブロックの各々をセグメントと称する。
【０００６】
また、各放送局は、上記１３セグメントを変調方式の異なる複数の階層に分類して放送を行うことができる。変調方式としては、例えば、送信可能なデータ量が多い高階層の放送信号を生成する６４ＱＡＭ（６４値直交振幅変調：Quadrature Amplitude Modulation）方式および送信可能なデータ量が少ない低階層の放送信号を生成するＱＰＳＫ（４位相偏移変調：Quadrature Phase Shift Keying）方式等が挙げられる。
【特許文献１】特開２００４−２８２２１１号公報
【発明の開示】
【発明が解決しようとする課題】
【０００７】
ここで、高階層の放送信号はエラー耐性に弱く、低階層の放送信号はエラー耐性に強い。したがって、放送信号を送出する送信アンテナ（テレビ塔）から遠く離れた場所または高層ビルが密集している場所等の受信環境が悪い場所にデジタル放送受信機が設置されている場合には、当該デジタル放送受信機が高階層の放送信号を受信できない場合がある。
【０００８】
図１６は、デジタル放送受信機の設置場所と放送信号の受信エリアとの関係を示す図である。図１６においては、テレビ塔Ｔから所定の距離内の第１のエリアＡ１に第１のデジタル放送受信機Ｄ１が設置されており、第１のエリアＡ１の外側の第２のエリアＡ２に第２のデジタル放送受信機Ｄ２が設置されている。
【０００９】
テレビ塔Ｔからは、異なる２つの変調方式により低階層および高階層の放送信号が送信されている。第１のエリアＡ１においては、高階層の放送信号および低階層の放送信号を受信することができるが、第２のエリアＡ２においては、低階層の放送信号のみを受信することができる。
【００１０】
図１６に示すような状態では、サービスリストデータを高階層の放送信号に多重して送信した場合、第２のエリアＡ２においては、デジタル放送受信機Ｄ２が低階層の放送信号（サービス）を受信しているにもかかわらず、その受信している放送信号（サービス）の情報を取得することができない。
【００１１】
そこで、一般に、各放送局はサービスリストデータを低階層の放送信号に多重して送信している。それにより、受信環境が悪い場所に設置されているデジタル放送受信機にもサービスリストデータを安定して取得させることができる。
【００１２】
ところで、上記サービスリストデータには、各放送局が放送する全てのサービスのＩＤ番号および種別が列挙されている。そのため、高階層の放送信号を受信できないデジタル放送受信機においても、高階層で放送されるサービスがチャンネルリストに組み込まれることになる。それにより、例えば、電子番組ガイド（ＥＰＧ： Electric Program Guide ）をデジタル放送受信機の画面に表示する場合、視聴することができない番組が電子番組ガイドに組み込まれて表示されることになる。
【００１３】
このように、従来のデジタル放送受信機においては、サービスリストデータを低階層の放送信号に多重して送信した場合、実際には視聴することができないサービスが使用者の選択肢に含まれることがある。それにより、使用者の快適な選局操作が妨げられる。
【００１４】
本発明の目的は、快適な選局操作が可能なデジタル放送受信機を提供することである。
【課題を解決するための手段】
【００１５】
（１）第１の発明に係るデジタル放送受信機は、階層変調された放送信号を受信するデジタル放送受信機であって、複数の周波数帯域の放送信号を受信する受信手段と、受信手段により受信された放送信号からトランスポートストリームを復調する復調手段と、各周波数帯域において放送されるサービスの一覧情報を復調手段により復調されたトランスポートストリームから抽出する抽出手段と、受信手段により受信される放送信号の状態に基づいて受信可能な放送信号の階層を判定する階層判定手段と、階層判定手段の判定結果に基づいて抽出手段により抽出された一覧情報から受信可能な階層で放送されるサービスを選別する選別手段と、選別手段により選別されたサービスから使用者の操作に基づいてサービスを選択する選択手段とを備えるものである。
【００１６】
そのデジタル放送受信機においては、複数の周波数帯域の放送信号が受信手段によって受信される。復調手段は、受信手段によって受信された放送信号からトランスポートストリームを復調する。抽出手段は、復調手段により復調されたトランスポートストリームから各周波数帯域において放送されるサービスの一覧情報を抽出する。階層判定手段は、受信手段により受信される放送信号の状態に基づいて受信可能な放送信号の階層を判定する。選別手段は、階層判定手段の判定結果に基づいて、上記一覧情報から受信可能なサービスを選別する。選択手段は、上記選別されたサービスから使用者の操作に基づいてサービスを選択する。
【００１７】
この場合、階層判定手段により受信可能な放送信号の階層が判定されるので、選別手段は、階層判定手段の判定結果に基づいて、一覧情報から受信可能なサービスを選別することができる。したがって、一覧情報が低階層の放送信号に多重されて送信されても、当該デジタル放送受信機が一覧情報におけるサービスのうち受信できないサービスを受信可能と誤認してしまうことを防止することができる。
【００１８】
また、選択手段は、選別手段により選別されたサービスのみを選択することができる。したがって、受信できないサービスが選択されることがないので、サービスの選択に要する時間を短縮することができる。
【００１９】
以上の結果、使用者は、快適な選局操作を行うことができる。
【００２０】
（２）階層判定手段は、受信手段による放送信号の受信強度を放送信号の状態として検出し、検出した受信強度に基づいて受信可能な放送信号の階層を判定してもよい。
【００２１】
この場合、階層判定手段は、放送信号の受信強度を検出することにより、受信可能な放送信号の階層を確実に判定することができる。
【００２２】
（３）階層判定手段は、受信手段により受信される放送信号のレベル、キャリア／ノイズ比およびエラー率の少なくとも１つを検出することにより受信強度を検出してもよい。
【００２３】
この場合、階層判定手段は、容易かつ確実に受信強度を検出することができる。
【００２４】
（４）一覧情報は、各サービスの階層に関する情報を含み、選別手段は、階層に関する情報および階層判定手段の判定結果に基づいて一覧情報から受信可能な階層で放送されるサービスを選別してもよい。
【００２５】
この場合、選別手段は、一覧情報の階層に関する情報に基づいて各サービスの階層を判定することができるので、受信可能なサービスを確実に選別することができる。
【００２６】
（５）一覧情報は、各サービスを特定するための情報を含み、当該デジタル放送受信機は、サービスを特定するための情報と階層との関係を記憶する記憶部と、記憶部に記憶される関係に基づいて一覧情報における各サービスの階層を判別する判別手段とをさらに備え、選別手段は、判別手段により判別された各サービスの階層および階層判定手段の判定結果に基づいて一覧情報から受信可能な階層で放送されるサービスを選別してもよい。
【００２７】
この場合、判別手段により、一覧情報における各サービスの階層が判別される。したがって、選別手段は、判別手段の判別結果に基づいて、受信可能なサービスを確実に選別することができる。
【００２８】
（６）第２の発明に係るデジタル放送受信機は、階層変調された放送信号を受信するデジタル放送受信機であって、複数の周波数帯域の放送信号を受信する受信手段と、受信手段により受信された放送信号からトランスポートストリームを復調する復調手段と、各周波数帯域において放送されるサービスの一覧情報およびサービスごとに放送信号に多重されるサービスに関する情報を復調手段により復調されたトランスポートストリームから抽出する抽出手段と、抽出手段により抽出されたサービスに関する情報に対応するサービスを抽出手段により抽出された一覧情報から選別する選別手段と、選別手段により選別されたサービスから使用者の操作に基づいてサービスを選択する選択手段とを備えるものである。
【００２９】
そのデジタル放送受信機においては、複数の周波数帯域の放送信号が受信手段によって受信される。復調手段は、受信手段によって受信された放送信号からトランスポートストリームを復調する。抽出手段は、復調手段により復調されたトランスポートストリームから各周波数帯域において放送されるサービスの一覧情報およびサービスごとに放送信号に多重されるサービスに関する情報を抽出する。選別手段は、抽出手段により抽出されたサービスに関する情報に対応するサービスを上記一覧情報から選別する。選択手段は、上記選別されたサービスから使用者の操作に基づいてサービスを選択する。
【００３０】
この場合、サービスに関する情報はサービスごとに送信されるので、選別手段は、抽出手段により抽出されたサービスに関する情報に基づいて、一覧情報から受信可能なサービスを選別することができる。したがって、一覧情報が低階層の放送信号に多重されて送信されても、当該デジタル放送受信機が一覧情報におけるサービスのうち受信できないサービスを受信可能と誤認してしまうことを防止することができる。
【００３１】
また、選択手段は、選別手段により選別されたサービスのみを選択することができる。したがって、受信できないサービスが選択されることがないので、サービスの選択に要する時間を短縮することができる。
【００３２】
以上の結果、使用者は、快適な選局操作を行うことができる。
【００３３】
（７）サービスに関する情報は、番組対応テーブルであってもよい。
【００３４】
この場合、番組対応テーブルはサービスごとに送信されるので、抽出手段により番組対応テーブルが抽出された場合に、対応するサービスが受信可能であると判定することができる。したがって、選別手段は、抽出手段の抽出結果に基づいて、受信可能なサービスをより確実に選別することができる。
【００３５】
（８）サービスに関する情報は、イベント情報テーブルであってもよい。
【００３６】
この場合、イベント情報テーブルはサービスごとに送信されるので、抽出手段によりイベント情報テーブルが検出された場合に、対応するサービスが受信可能であると判定することができる。したがって、選別手段は、抽出手段の抽出結果に基づいて、受信可能なサービスをより確実に選別することができる。
【００３７】
（９）サービスに関する情報は、番組対応テーブルおよびイベント情報テーブルを含み、当該デジタル放送受信機は、サービスの受信状態を判定する受信状態判定手段をさらに備え、受信状態判定手段は、抽出手段が番組対応テーブルおよびイベント情報テーブルを抽出した場合に、当該番組対応テーブルおよびイベント情報テーブルに対応するサービスを受信手段が受信可能でありかつ当該サービスが放送中であると判定し、抽出手段が番組対応テーブルを抽出せずにイベント情報テーブルを抽出した場合に、当該イベント情報テーブルに対応するサービスを受信手段が受信可能でありかつ当該サービスが放送休止中であると判定してもよい。
【００３８】
この場合、受信状態判定手段は、受信可能な各サービスについて、放送中であるのか、あるいは放送休止中であるのかを判定することができる。したがって、選別手段は、放送休止中のサービスについても受信可能として選別することができるので、受信可能なサービスをより確実に選別することができる。
【発明の効果】
【００３９】
本発明によれば、選別手段により一覧情報から受信可能なサービスが選別されるので、一覧情報が低階層の放送信号に多重されて送信されても、当該デジタル放送受信機が一覧情報におけるサービスのうち受信できないサービスを受信可能と誤認してしまうことを防止することができる。
【００４０】
また、選択手段は、選別手段により選別されたサービスのみを選択することができる。したがって、受信できないサービスが選択されることがないので、サービスの選択に要する時間を短縮することができる。
【００４１】
以上の結果、使用者は、快適な選局操作を行うことができる。
【発明を実施するための最良の形態】
【００４２】
以下、本発明の実施の形態に係るデジタル放送受信機の一例として、日本におけるデジタル放送に対応したテレビジョン受像機について図面を用いて説明する。
【００４３】
なお、日本においては、各放送局に６ＭＨｚの周波数帯域が割り当てられている。各放送局は、割り当てられた帯域幅６ＭＨｚを１４ブロックに等分したうちの１３ブロックを用いて放送を行い、残りの１ブロック分を隣接する周波数帯域の放送信号との混信を防止するために用いている。以下においては、放送に用いる上記１３ブロックの各々をセグメントと称する。また、各放送局に割り当てられた周波数帯域の各々を物理チャンネルと称する。
【００４４】
また、各放送局は、上記１３セグメントを変調方式の異なる複数の階層に分類して放送を行うことができる。変調方式としては、例えば、送信可能なデータ量が多い高階層の放送信号を生成する６４ＱＡＭ方式および送信可能なデータ量が少ない低階層の放送信号を生成するＱＰＳＫ方式等が挙げられる。なお、以下の説明においては、各放送局が、低階層および高階層の２つの階層で放送を行っている場合について説明する。
【００４５】
各放送局は、サービスリストデータを低階層の放送信号に多重して送信しているものとする。なお、サービスリストデータは物理チャンネルごとに作成される。サービスリストデータには、各物理チャンネルにおいて放送されるサービスを特定するＩＤ番号およびサービス名（例えば、テレビ放送、ラジオ放送およびデータ放送等）が含まれている。サービスリストデータの詳細は後述する。
【００４６】
デジタル放送においては、各放送局は、１つの放送信号に複数のサービスを多重することができるので、１つの物理チャンネルにより複数のサービスを提供することができる。
【００４７】
（１）第１の実施の形態
（ａ）テレビジョン受像機の構成
図１は、本発明の第１の実施の形態に係るテレビジョン受像機の構成を示すブロック図である。また、図２は、各放送局から送信されるサービスリストデータの一例を示す模式図である。なお、図２においては、５つのサービスを放送する放送局（物理チャンネル）のサービスリストデータを示している。
【００４８】
図１に示すように、本実施の形態に係るテレビジョン受像機１００は、選局部１０１、復調部１０２、ＴＳ（トランスポートストリーム）デコーダ１０３、ＡＶ（音声映像）デコーダ１０４、音声出力部１０５、編集部１０６、合成部１０７、映像出力部１０８、受信強度検出部１０９、判別部１１０、サービスリスト記憶部１１１および制御部１１２を含む。
【００４９】
また、図２に示すように、本実施の形態においては、サービスリストデータは、各サービスのＩＤ番号、サービス名および階層情報を含む。なお、階層情報は、そのサービスを放送する階層を示すものである。
【００５０】
図１に示すように、選局部１０１には、アンテナ９０１から複数のデジタル放送信号（以下、放送信号と略記する。）が入力される。選局部１０１は、後述する制御部１１１から出力される選局信号に従って１つの物理チャンネルを選局し、その物理チャンネルの放送信号を復調部１０２へ出力する。
【００５１】
復調部１０２は、選局部１０１から出力された放送信号を復調し、ＭＰＥＧ（ Motion Picture Experts Group ）−２規格に準拠したトランスポートストリームを生成する。また、復調部１０２は、生成したトランスポートストリームの誤り訂正を行い、誤り訂正したトランスポートストリームをＴＳデコーダ１０３へ出力する。
【００５２】
なお、図１においては選局部１０１および復調部１０２をそれぞれ１つずつ示しているが、本例においては、各放送局が２つの変調方式によって放送を行っているので、実際には高階層の放送信号に対応する選局部１０１および復調部１０２ならびに低階層の放送信号に対応する選局部１０１および復調部１０２がそれぞれ設けられている。
【００５３】
ＴＳデコーダ１０３は、復調部１０２から出力されたトランスポートストリームから、音声ストリーム、映像ストリーム、電子番組ガイド（ＥＰＧ： Electric Program Guide ）データ、データ放送関係のデータおよびサービスリストデータ（図２参照）等を分離する。
【００５４】
ＴＳデコーダ１０３は、上記分離した電子番組ガイドデータを編集部１０６へ出力し、上記分離したデータ放送関係のデータを合成部１０７へ出力し、上記分離したサービスリストデータを判別部１１０へ出力する。また、ＴＳデコーダ１０３は、上記分離した音声ストリームおよび映像ストリームの中から、後述する制御部１１２から出力される指定信号により指定されたサービスに対応する音声ストリームおよび映像ストリームをＡＶデコーダ１０４へ出力する。
【００５５】
ＡＶデコーダ１０４（図１）は、ＴＳデコーダ１０３から出力された音声ストリームおよび映像ストリームを復号し、音声データおよび映像データを生成する。また、ＡＶデコーダ１０４は、生成した音声データを音声出力部１０５へ出力し、映像データを合成部１０７へ出力する。
【００５６】
音声出力部１０５は、スピーカ等の音声出力装置を含み、ＡＶデコーダ１０４から出力された音声データを音声として出力する。
【００５７】
編集部１０６は、後述するサービスリスト記憶部１１１に記憶されるＩＤ番号に基づいて、ＴＳデコーダ１０３から出力される電子番組ガイドデータを編集し、編集した電子番組ガイドデータを合成部１０７へ出力する。詳細には、編集部１０６は、サービスリスト記憶部１１１に記憶されるＩＤ番号に対応するサービスのみの電子番組ガイドデータを生成する。
【００５８】
合成部１０７は、制御部１１２から後述する合成信号が出力された場合に、ＡＶデコーダ１０４から出力される映像データと合成信号により指定されたデータ（ＴＳデコーダ１０３から出力されるデータ放送関係のデータまたは編集部１０６から出力される電子番組ガイドデータ）とを合成し、合成したデータ（以下、合成データと称する）を映像出力部１０８へ出力する。また、合成部１０７は、制御部１１２から合成信号が出力されていない場合には、ＡＶデコーダ１０４から出力された映像データをそのまま映像出力部１０８へ出力する。
【００５９】
映像出力部１０８は、液晶ディスプレイパネルまたはプラズマディスプレイパネル等の表示装置を含み、合成部１０７から出力された合成データまたは映像データを映像として表示する。なお、合成データを映像として表示する際には、表示装置に電子番組ガイド等がＯＳＤ（オンスクリーン表示：On Screen Display）で提示される。
【００６０】
受信強度検出部１０９は、選局部１０１が選局中の物理チャンネルの放送信号を受信しているか否かを判別する。詳細には、受信強度検出部１０９は、選局部１０１から出力される放送信号を検出した場合には、選局部１０１が選局中の放送信号を受信していると判別し、選局部１０１から出力される放送信号を検出できない場合には、選局部１０１が選局中の放送信号を受信していないと判別する。
【００６１】
受信強度検出部１０９は、選局部１０１が選局中の物理チャンネルの放送信号を受信していないと判別した場合、そのことを通知する第１の通知信号を制御部１１２へ出力する。また、受信強度検出部１０９は、選局部１０１が選局中の物理チャンネルの放送信号を受信していると判別した場合、その放送信号の受信強度を検出する。なお、受信強度は、例えば、放送信号のレベルを測定することにより検出することができる。
【００６２】
判別部１１０は、上記検出された受信強度に基づいて、ＴＳデコーダ１０３から出力されたサービスリストデータの各サービスについて受信可能か否かを判別する。詳細は後述する。
【００６３】
また、判別部１１０は、ＴＳデコーダ１０３から出力されたサービスリストデータの全てのサービスについて、上記受信可能か否かの判別を終了した場合、そのことを通知する第２の通知信号を制御部１１２へ出力する。
【００６４】
サービスリスト記憶部１１１は、判別部１１０により受信可能と判別されたサービスのＩＤ番号（図２参照）を記憶する。
【００６５】
制御部１１２は記憶部を含み、チャンネルスキャンを行う際にスキャンする物理チャンネルの順番を記憶している。チャンネルスキャンの詳細は後述する。
【００６６】
制御部１１２は、記憶部に記憶されている上記順番または後述する入力部１１３から出力される操作信号に基づいて選局信号を生成し、当該選局信号を選局部１０１へ出力する。
【００６７】
詳細には、テレビジョン受像機１００がチャンネルスキャンを行う際には、制御部１１２は、記憶部に記憶されている上記順番に従って、各物理チャンネルを指定する選局信号を出力する。なお、制御部１１２は、受信強度検出部１０９または判別部１１０から上記の第１または第２の通知信号が出力された場合に、選局中の物理チャンネルと異なる物理チャンネルを指定する選局信号を出力する。詳細は後述する。
【００６８】
また、視聴者がリモコン９０２または後述する入力部１１３の操作ボタンを操作して所望のサービスを選択した場合には、制御部１１２は、上記操作信号に基づいて、選択されたサービスを放送する物理チャンネルを指定する選局信号を出力する。なお、視聴者は、例えば、表示装置に表示される電子番組ガイドを参照することにより、所望のサービスを選択することができる。
【００６９】
また、制御部１１２は、上記操作信号に基づいて、視聴者により選択されたサービスを指定する指定信号を生成し、当該指定信号をＴＳデコーダ１０３へ出力する。なお、制御部１１２は、サービスリスト記憶部１１１にＩＤ番号が記憶されているサービスについてのみ指定信号を生成する。したがって、例えば、視聴者がリモコン９０２によりアップダウン操作を行った場合には、上記記憶されているＩＤ番号に対応するサービスのみが順番に選択される。
【００７０】
また、制御部１１２は、上記操作信号に基づいて合成信号を生成する。例えば、視聴者が、リモコン９０２を操作してデータ放送のサービスを選択した場合には、制御部１１２は、データ放送関係のデータを指定する合成信号を合成部１０７へ出力する。この場合、表示装置において、データ放送関係のデータがＯＳＤで提示される。
【００７１】
また、例えば、視聴者が、リモコン９０２を操作して電子番組ガイドを表示しようとした場合には、制御部１１２は、電子番組ガイドデータを指定する合成信号を合成部１０７へ出力する。この場合、表示装置において、電子番組ガイドがＯＳＤで提示される。
【００７２】
入力部１１３は、遠隔操作信号受信部および操作ボタンを含み、リモコン９０２から送信される遠隔操作信号または上記操作ボタンの押下に基づいて操作信号を生成し、当該操作信号を制御部１１２へ出力する。
【００７３】
なお、編集部１０６、合成部１０７、受信強度検出部１０９、判別部１１０および制御部１１２は、マイクロコンピュータおよびその制御プログラムにより実現されてもよく、いずれか１つまたは全てが電子回路等のハードウェアにより実現されてもよい。
【００７４】
（ｂ）チャンネルスキャン
次に、本実施の形態におけるチャンネルスキャンについて詳細に説明する。
【００７５】
図３は、テレビジョン受像機１００（図１）のチャンネルスキャン動作を示すフローチャートである。
【００７６】
図３に示すように、まず、制御部１１２（図１）は、記憶部に記憶された順番に基づいて、１番目の物理チャンネルを指定する選局信号を生成し、生成した選局信号を選局部１０１（図１）へ出力する（ステップＳ１）。
【００７７】
次に、選局部１０１は、選局信号に従って物理チャンネルを選局する（ステップＳ２）。
【００７８】
次に、受信強度検出部１０９（図１）は、選局された物理チャンネルの放送信号を選局部１０１が受信しているか否かを判別する（ステップＳ３）。
【００７９】
放送信号を受信していると判別した場合、受信強度検出部１０９は、受信強度を検出する（ステップＳ４）。
【００８０】
次に、受信強度検出部１０９は、検出した受信強度に基づいて、受信可能な階層を判定する（ステップＳ５）。詳細には、受信強度検出部１０９は、選局中の物理チャンネルにおいて受信強度が所定のしきい値以上である場合には、低階層および高階層の両方の放送信号を受信可能であると判定し、受信強度が所定のしきい値より低い場合には、低階層の放送信号のみを受信可能であると判定する。
【００８１】
次に、判別部１１０（図１）は、ＴＳデコーダ１０３（図１）からサービスリストデータを取得する（ステップＳ６）。
【００８２】
次に、判別部１１０は、取得したサービスリストデータの中から１つのサービスを選択する（ステップＳ７）。
【００８３】
次に、判別部１１０は、ステップＳ６において取得したサービスリストデータの階層情報（図２参照）に基づいて、ステップＳ７において選択したサービスの階層を判別する（ステップＳ８）。
【００８４】
次に、判別部１１０は、ステップＳ５において判定した受信可能な階層と、ステップＳ８において判別した階層とを比較し、ステップＳ７において選択したサービスが受信可能か否かを判別する（ステップＳ９）。
【００８５】
例えば、ステップＳ５において受信可能であると判定された階層が低階層および高階層であり、ステップＳ７において選択されたサービスが図２のテレビ放送１（ＩＤ番号：１０１）である場合、判別部１１０は、選択したサービスを受信可能であると判別する。
【００８６】
また、例えば、ステップＳ５において受信可能であると判別された階層が低階層のみであり、ステップＳ７において選択されたサービスが図２のテレビ放送１（ＩＤ番号：１０１）である場合、判別部１１０は、選択したサービスが受信不可能であると判別する。
【００８７】
ステップＳ８において受信可能であると判別された場合、判別部１１０は、サービスリスト記憶部１１１（図１）にそのサービスのＩＤ番号を記憶させる（ステップＳ１０）。
【００８８】
次に、判別部１１０は、ステップＳ６において取得したサービスリストデータの全てのサービス（図２においては、５つのサービス）について、上記ステップＳ７〜Ｓ１０の処理が終了したか否かを判別する（ステップＳ１１）。
【００８９】
ステップＳ９において、全てのサービスについて処理が終了していると判別された場合、制御部１１２（図１）は、記憶部に記憶されている全ての物理チャンネルについてステップＳ１〜Ｓ１１の処理が終了したか否かを判別する（ステップＳ１２）。
【００９０】
ステップＳ１２において、全ての物理チャンネルについてステップＳ１〜Ｓ１１の処理が終了したと判別された場合、チャンネルスキャン動作は終了する。
【００９１】
ステップＳ３において、放送信号を受信していないと判別された場合、制御部１１２は、ステップＳ１２に進む。
【００９２】
ステップＳ９において受信不可能と判別された場合、判別部１１０は、ステップＳ１１に進む。
【００９３】
ステップＳ１１において、全てのサービスについて処理が終了していないと判別された場合、すなわち受信可能か否かの判別処理が行われていないサービスがある場合、判別部１１０は、ステップＳ７に戻り、判別処理が行われていないサービスの中から１つのサービスを選択する。
【００９４】
ステップＳ１２において、全ての物理チャンネルについてステップＳ１〜Ｓ１２の処理が終了していないと判別された場合、すなわちスキャンされていない物理チャンネルがある場合、制御部１１２は、ステップＳ１に戻り、記憶部に記憶された順番に従い次の物理チャンネルを指定する選局信号を生成し、生成した選局信号を選局部１０１へ出力する。
【００９５】
以上の処理により、例えば、テレビジョン受像機１００が高階層および低階層の放送信号を受信できる場合には、サービスリストデータの全てのＩＤ番号がサービスリスト記憶部１１１に記憶される。図２の例では、ＩＤ番号として“１０１”、“１０２”、“３０１”、“７０１”、および“９０１”がサービスリスト記憶部１１１に記憶される。
【００９６】
また、例えば、テレビジョン受像機１００が低階層の放送信号のみを受信できる場合には、低階層の階層情報が付与されたサービスのＩＤ番号のみがサービスリスト記憶部１１１に記憶される。図２の例では、ＩＤ番号として“７０１”および“９０１”がサービスリスト記憶部１１１に記憶される。
【００９７】
（ｃ）本実施の形態における効果
以上のように、本実施の形態に係るテレビジョン受像機１００においては、チャンネルスキャンを行う際に、選局中の物理チャンネルの受信強度を検出する。また、検出した受信強度に基づいて、選局中の物理チャンネルの受信可能な階層を判定する。そして、その判定結果とサービスリストデータの階層情報とを比較することにより、サービスごとにそのサービスが受信できるか否かを判別し、受信可能と判別したサービスのＩＤ番号をサービスリスト記憶部１１１に記憶する。
【００９８】
この場合、各放送局が、サービスリストデータを低階層の放送信号に多重して送信しても、サービスリスト記憶部１１１には、受信可能なサービスのＩＤ番号のみが記憶される。したがって、テレビジョン受像機１００が高階層の放送信号を受信できない場合に、高階層で放送されるサービスのＩＤ番号がサービスリスト記憶部１１１に記憶されることを防止することができる。
【００９９】
また、本実施の形態においては、視聴者は、サービスリスト記憶部１１１に記憶されているＩＤ番号に対応するサービスのみを選択することができる。例えば、視聴者が、リモコン９０２を用いてアップダウン操作を行った場合に、受信できないサービスは選択されない。それにより、サービスの選択に要する時間を短縮することができる。
【０１００】
また、例えば、テレビジョン受像機１００が、リモコン９０２または入力部１１３によりＩＤ番号を入力することによりサービスを選択できるように設定されている場合に、視聴者が受信できないサービスのＩＤ番号を入力した際に、そのサービスを受信できないことを表示装置を用いて瞬時に表示することが可能である。それにより、視聴者は、受信できないサービスを容易かつ瞬時に認識することができる。
【０１０１】
また、本実施の形態においては、サービスリスト記憶部１１１に記憶されたＩＤ番号に基づいて電子番組ガイドデータを編集することができる。したがって、視聴者が電子番組ガイドを表示装置に表示する場合に、受信できないサービスが電子番組ガイドに組み込まれることを防止することができる。それにより、受信できないサービスを視聴者が選択することを防止することができる。また、受信可能なサービスのみが電子番組ガイドに組み込まれるので、視聴者は所望のサービスを容易に見出すことができる。
【０１０２】
以上の結果、視聴者は、快適な選局操作を行うことができる。
【０１０３】
また、各放送局はサービスリストデータを低階層の放送信号に多重して送信することができるので、当該サービスリストデータをテレビジョン受像機１００に確実に受信させることができる。
【０１０４】
（２）第２の実施の形態
第２の実施の形態に係るテレビジョン受像機が、第１の実施の形態に係るテレビジョン受像機１００（図１）と異なるのは以下の点である。
【０１０５】
（ａ）テレビジョン受像機の構成
図４は、第２の実施の形態に係るテレビジョン受像機の構成を示すブロック図である。また、図５は、各放送局から送信されるサービスリストデータの一例を示す模式図である。なお、図５に示すように、本実施の形態においては、サービスリストデータは階層情報を含まない。
【０１０６】
図４に示すように、本実施の形態に係るテレビジョン受像機２００は階層情報記憶部１１４を含む。
【０１０７】
階層情報記憶部１１４には、ＩＤ番号と階層との関係を示す情報（以下、ＩＤ別階層情報と称する）が記憶されている。なお、ＩＤ番号と階層との関係は、予め放送規格で定められている。図６にＩＤ別階層情報の一例を示す。なお、図６の例では、階層とサービス種別との組み合わせごとに、所定数（本例では１００）のＩＤ番号が割り当てられている。例えば、高階層のテレビ放送のＩＤ番号は、ＩＤ番号群“１００〜１９９”のうちのいずれかの番号に設定され、低階層のテレビ放送のＩＤ番号は、ＩＤ番号群“７００〜７９９”のいうちのいずれかの番号に設定される。
【０１０８】
（ｂ）チャンネルスキャン
次に、本実施の形態におけるチャンネルスキャンについて説明する。
【０１０９】
図７は、テレビジョン受像機２００（図４）のチャンネルスキャン動作を示すフローチャートである。図７のフローチャートが図３のフローチャートと異なるのは以下の点である。
【０１１０】
図７に示すように、判別部１１０（図４）は、ステップＳ６においてサービスリストデータを取得した後、階層情報記憶部１１４（図４）からＩＤ別階層情報を取得する（ステップＳ６１）。
【０１１１】
次に、判別部１１０は、ステップＳ６において取得したサービスリストデータの中から１つのサービスを選択する（ステップＳ７）。
【０１１２】
次に、判別部１１０は、ステップＳ６１おいて取得したＩＤ別階層情報に基づいて、ステップＳ７において選択したサービスの階層を判別する（ステップＳ８１）。
【０１１３】
例えば、ステップＳ７において選択したサービスがデータ放送１（図５）である場合、データ放送１のＩＤ番号は“３０１”である。この場合、ＩＤ番号“３０１”はＩＤ別階層情報（図６）のＩＤ番号群“３００〜３９９”に含まれるので、判別部１１０は、データ放送１の階層が高階層であると判別する。
【０１１４】
次に、判別部１１０は、ステップＳ５において判定した受信可能な階層と、ステップＳ８１において判別した階層とを比較し、ステップＳ７において選択したサービスが受信可能か否かを判別する（ステップＳ９１）。
【０１１５】
ステップＳ９１において受信可能と判別された場合、判別部１１０は、ステップＳ１０に進み、ステップＳ９１において受信不可能と判別された場合、判別部１１０は、ステップＳ１１に進む。なお、他の処理は図４と同様である。
【０１１６】
以上の処理により、例えば、テレビジョン受像機２００が高階層および低階層の放送信号を受信できる場合には、サービスリストデータ（図５参照）の全てのＩＤ番号がサービスリスト記憶部１１１に記憶される。
【０１１７】
また、例えば、テレビジョン受像機２００が低階層の放送信号のみを受信できる場合には、サービスリストデータ（図５参照）のＩＤ番号のうち、低階層のＩＤ番号群（図６）に属するＩＤ番号のみがサービスリスト記憶部１１１に記憶される。図５および図６の例では、ＩＤ番号として“７０１”および“９０１”がサービスリスト記憶部１１１に記憶される。
【０１１８】
（ｃ）本実施の形態における効果
以上のように、本実施の形態に係るテレビジョン受像機２００においては、チャンネルスキャンを行う際に、選局中の物理チャンネルの受信強度を検出する。また、検出した受信強度に基づいて、選局中の物理チャンネルの受信可能な階層を判定する。そして、その判定結果と階層情報記憶部１１４に記憶されているＩＤ別階層情報とを比較することにより、サービスごとにそのサービスが受信できるか否かを判別し、受信可能と判別したサービスのＩＤ番号をサービスリスト記憶部１１１に記憶する。
【０１１９】
この場合、各放送局が、サービスリストデータを低階層の放送信号に多重して送信しても、サービスリスト記憶部１１１には、受信可能なサービスのＩＤ番号のみが記憶される。したがって、テレビジョン受像機２００が高階層の放送信号を受信できない場合に、高階層で放送されるサービスのＩＤ番号がサービスリスト記憶部１１１に記憶されることを防止することができる。
【０１２０】
また、視聴者は、サービスリスト記憶部１１１に記憶されているＩＤ番号に対応するサービスのみを選択することができる。それにより、サービスの選択に要する時間を短縮することができる。
【０１２１】
また、サービスリスト記憶部１１１に記憶されたＩＤ番号に基づいて電子番組ガイドデータを編集することができる。それにより、受信できないサービスが電子番組ガイドに組み込まれることを防止することができる。
【０１２２】
以上の結果、視聴者は、快適な選局操作を行うことができる。
【０１２３】
また、各放送局はサービスリストデータを低階層の放送信号に多重して送信することができるので、当該サービスリストデータをテレビジョン受像機２００に確実に受信させることができる。
【０１２４】
また、本実施の形態においては、各放送局が送信するサービスリストデータに階層情報が含まれていなくても、ＩＤ別階層情報に基づいて、各サービスの階層を認識することができる。したがって、各放送局は、サービスリストデータに階層情報を付与する必要がない。それにより、他の情報を放送信号に多重することができるので、放送の多様化を実現できる。
【０１２５】
（３）第３の実施の形態
第３の実施の形態に係るテレビジョン受像機が、第１の実施の形態に係るテレビジョン受像機１００（図１）と異なるのは以下の点である。
【０１２６】
（ａ）テレビジョン受像機の構成
図８は、第３の実施の形態に係るテレビジョン受像機の構成を示すブロック図である。なお、本実施の形態においては、図５に示したサービスリストデータが各放送局から送信されているものとする。
【０１２７】
図８に示すように、本実施の形態に係るテレビジョン受像機３００は、放送信号検出部１１５、受信リスト作成部１１６、受信状態記憶部１１７およびＰＭＴ検出部１１８を含む。なお、図１の受信強度検出部１０９、判別部１１０およびサービスリスト記憶部１１１は、本実施の形態に係るテレビジョン受像機３００に含まれない。
【０１２８】
本実施の形態においては、ＴＳデコーダ１０３は、復調部１０２から出力されたトランスポートストリームから、音声ストリーム、映像ストリーム、電子番組ガイドデータ、データ放送関係のデータ、サービスリストデータ、およびＰＭＴ（番組対応管理テーブル：Program Map Table）を分離する。また、ＴＳデコーダ１０３は、上記分離したサービスリストデータを受信リスト作成部１１６へ出力し、上記分離したＰＭＴをＰＭＴ検出部１１８へ出力する。なお、ＰＭＴは、各サービスの番組の構成要素（映像ストリーム、音声ストリームおよびデータストリーム等）を示すテーブルであり、対応するサービスの構成要素と同じ階層で送信されている。
【０１２９】
放送信号検出部１１５は、図１の受信強度検出部１０９と同様に、選局部１０１が選局中の物理チャンネルの放送信号を受信しているか否かを判別する。また、放送信号検出部１１５は、選局部１０１が選局中の物理チャンネルの放送信号を選局部１０１が受信していないと判別した場合、そのことを通知する第３の通知信号を制御部１１２へ出力する。
【０１３０】
受信リスト作成部１１６は、ＴＳデコーダ１０３から出力されたサービスリストデータに基づいて受信リストを作成する。図９に、初期状態の受信リストの一例を示す。なお、図９の例は、図５のサービスリストデータに基づいて作成された受信リストを示している。図９に示すように、受信リストには、各サービスのＩＤ番号と、そのサービスの受信状態との関係が表されている。なお、図９に示すように、受信リスト作成部１１６は、初期状態では、全てのサービスが受信されていない状態（図９においては“不可”と表示）であるとして受信リストを作成する。
【０１３１】
受信状態記憶部１１７は、受信リスト作成部１１６によって作成された受信リストを記憶する。
【０１３２】
ＰＭＴ検出部１１８は、ＴＳデコーダ１０３から出力されたＰＭＴを検出するとともに、検出したＰＭＴに基づいて各サービスの受信状態を判別する。詳細には、ＰＭＴ検出部１１８は、ＰＭＴを検出した場合、そのＰＭＴに対応するサービスを受信可能であると判別し、受信状態記憶部１１７に記憶されている受信リストの受信状態を変更する。
【０１３３】
図１０は、受信状態が変更された受信リストの一例である。ＰＭＴ検出部１１８は、例えば、図５のテレビ放送１（ＩＤ番号：１０１）を受信可能であると判別した場合、図１０に示すように、受信リスト上で、ＩＤ番号１０１のサービスの受信状態を受信可能（図１０においては“可”と表示）に変更する。
【０１３４】
また、ＰＭＴ検出部１１８は、受信リストの全てのサービスについて受信状態の判別を終了した場合、そのことを通知する第４の通知信号を制御部１１２へ出力する。
【０１３５】
なお、本実施の形態においては、制御部１１２は、放送信号検出部１１５またはＰＭＴ検出部１１８から上記の第３または第４の通知信号が出力された場合に、選局中の物理チャンネルと異なる物理チャンネルを指定する選局信号を選局部１０１へ出力する。
【０１３６】
また、編集部１０６は、受信リスト作成部１１７に記憶される受信リストにおいて、受信可能とされているサービスのＩＤ番号に基づいて、ＴＳデコーダ１０３から出力される電子番組ガイドデータを編集し、編集した電子番組ガイドデータを合成部１０７へ出力する。詳細には、編集部１０６は、受信可能と判定されたサービスのみの電子番組ガイドデータを生成する。
【０１３７】
また、制御部１１２は、受信リストにおいて受信可能とされているサービスについてのみ指定信号を生成する。
【０１３８】
なお、放送信号検出部１１５、受信リスト作成部１１６およびＰＭＴ検出部１１８は、マイクロコンピュータおよびその制御プログラムにより実現されてもよく、いずれか１つまたは全てが電子回路等のハードウェアにより実現されてもよい。
【０１３９】
（ｂ）チャンネルスキャン
次に、本実施の形態におけるチャンネルスキャン動作について説明する。
【０１４０】
図１１は、テレビジョン受像機３００（図８）のチャンネルスキャン動作を示すフローチャートである。図１１のフローチャートが図３のフローチャートと異なるのは以下の点である。
【０１４１】
図１１に示すように、ステップＳ２において、選局部１０１が物理チャンネルを選局した後、放送信号検出部１１５（図８）は、選局された物理チャンネルの放送信号を選局部１０１が受信しているか否かを判別する（ステップＳ３１）。
【０１４２】
放送信号を受信していると判別した場合、受信リスト作成部１１６（図８）は、ＴＳデコーダ１０３（図８）からサービスリストデータを取得する（ステップＳ６２）。
【０１４３】
次に、受信リスト作成部１１６（図８）は、取得したサービスリストデータに基づいて受信リストを作成し、作成した受信リストを受信状態記憶部１１７（図８）に記憶させる（ステップＳ６３）。
【０１４４】
次に、ＰＭＴ検出部１１８（図８）は、受信状態記憶部１１７に記憶された受信リストから１つのサービス（ＩＤ番号）を選択する（ステップＳ７１）。
【０１４５】
次に、ＰＭＴ検出部１１８は、選択したサービス（ＩＤ番号）に対応するＰＭＴが検出されたか否かを判別する（ステップＳ９２）。
【０１４６】
ＰＭＴが検出された場合、ＰＭＴ検出部１１８は、受信リスト作成部１１７に記憶されている受信リストにおいて、ステップＳ７１において選択したサービスの受信状態を受信可能に変更する（ステップＳ１０１）。
【０１４７】
次に、ＰＭＴ検出部１１８は、ステップＳ６３において作成された受信リストの全てのサービスについて、上記ステップＳ７１〜Ｓ１０１の処理が終了したか否かを判別する（ステップＳ１１１）。
【０１４８】
ステップＳ１１１において、全てのサービスについて処理が終了していると判別された場合、制御部１１２（図８）は、記憶部に記憶されている全ての物理チャンネルについてステップＳ１〜Ｓ１１１の処理が終了したか否かを判別する（ステップＳ１２１）。
【０１４９】
ステップＳ３１において、放送信号を受信していないと判別された場合、制御部１１２は、ステップＳ１２１に進む。
【０１５０】
ステップＳ９２においてＰＭＴが検出されない場合、ＰＭＴ検出部１１８は、受信リストの受信状態を変更することなくステップＳ１１１へ進む。
【０１５１】
ステップＳ１１１において、全てのサービスについて処理が終了していないと判別された場合、すなわち受信状態の判別処理が行われていないサービスがある場合、ＰＭＴ検出部１１８は、ステップＳ７１に戻り、判別処理が行われていないサービスの中から１つのサービスを選択する。
【０１５２】
ステップＳ１２１において、全ての物理チャンネルについてステップＳ１〜Ｓ１１１の処理が終了していないと判別された場合、すなわちスキャンされていない物理チャンネルがある場合、制御部１１２は、ステップＳ１に戻り、記憶部に記憶された順番に従い次の物理チャンネルを指定する選局信号を生成し、生成した選局信号を選局部１０１へ出力する。
【０１５３】
（ｃ）本実施の形態における効果
以上のように、本実施の形態に係るテレビジョン受像機３００においては、チャンネルスキャンを行う際に、受信したＰＭＴに対応するサービスのみを受信可能と判定する。したがって、テレビジョン受像機３００が高階層の放送信号を受信できない場合に、高階層で放送されるサービスが受信可能と判定されることを防止することができる。
【０１５４】
また、視聴者は、受信可能と判定されたサービスのみを選択することができる。それにより、サービスの選択に要する時間を短縮することができる。
【０１５５】
また、受信可能と判定されたサービスのＩＤ番号に基づいて電子番組ガイドデータを生成することができる。それにより、受信できないサービスが電子番組ガイドに組み込まれることを防止することができる。
【０１５６】
以上の結果、視聴者は、快適な選局操作を行うことができる。
【０１５７】
また、各放送局はサービスリストデータを低階層の放送信号に多重して送信することができるので、当該サービスリストデータをテレビジョン受像機３００に確実に受信させることができる。
【０１５８】
また、本実施の形態に係るテレビジョン受像機３００は、受信可能な階層を判定することなく、受信可能なサービスを特定することができる。したがって、放送信号の受信強度を測定する必要がないので、テレビジョン受像機３００の構成要素の簡略化が可能になる。それにより、テレビジョン受像機３００の製造工程および製造コストの低減が可能になる。
【０１５９】
（４）第４の実施の形態
第４の実施の形態に係るテレビジョン受像機が、第３の実施の形態に係るテレビジョン受像機３００（図８）と異なるのは以下の点である。
【０１６０】
（ａ）テレビジョン受像機の構成
図１２は、第４の実施の形態に係るテレビジョン受像機の構成を示すブロック図である。
【０１６１】
図１２に示すように、本実施の形態に係るテレビジョン受像機４００においては、図８のＰＭＴ検出部１１８の代わりにＥＩＴ検出部１１９が設けられている。
【０１６２】
本実施の形態においては、ＴＳデコーダ１０３は、復調部１０２から出力されたトランスポートストリームから、音声ストリーム、映像ストリーム、電子番組ガイドデータ、データ放送関係のデータ、サービスリストデータ、およびＥＩＴ（イベント情報テーブル：Event Information Table）を分離する。また、ＴＳデコーダ１０３は、上記分離したサービスリストデータを受信リスト作成部１１６へ出力し、上記分離したＥＩＴをＥＩＴ検出部１１９へ出力する。なお、ＥＩＴは、各サービスの番組情報を示すテーブルであり、対応するサービスの構成要素（映像ストリーム、音声ストリームおよびデータストリーム等）と同じ階層で送信されている。
【０１６３】
ＥＩＴ検出部１１９は、ＴＳデコーダ１０３から出力されたＥＩＴを検出するとともに、検出したＥＩＴに基づいて各サービスの受信状態を判別する。詳細には、図８のＰＭＴ検出部１１８と同様に、ＥＩＴ検出部１１９は、ＥＩＴを検出した場合、そのＥＩＴに対応するサービスを受信可能であると判別し、受信状態記憶部１１７に記憶されている受信リストの受信状態を変更する。
【０１６４】
また、ＥＩＴ検出部１１９は、受信リストの全てのサービスについて受信状態の判別を終了した場合、そのことを通知する第５の通知信号を制御部１１２へ出力する。
【０１６５】
なお、本実施の形態においては、制御部１１２は、放送信号検出部１１５またはＥＩＴ検出部１１９から上記の第３または第５の通知信号が出力された場合に、選局中の物理チャンネルと異なる物理チャンネルを指定する選局信号を選局部１０１へ出力する。
【０１６６】
なお、ＥＩＴ検出部１１９は、マイクロコンピュータおよびその制御プログラムにより実現されてもよく、電子回路等のハードウェアにより実現されてもよい。
【０１６７】
（ｂ）チャンネルスキャン
次に、本実施の形態におけるチャンネルスキャン動作について説明する。
【０１６８】
図１３は、テレビジョン受像機４００（図１２）のチャンネルスキャン動作を示すフローチャートである。図１３のフローチャートが図１１のフローチャートと異なるのは以下の点である。
【０１６９】
図１３に示すように、ステップＳ６３において、受信リスト作成部１１６（図１２）が受信リストを作成し、作成した受信リスト（図９）を受信状態記憶部１１７（図１２）に記憶させた後、ＥＩＴ検出部１１９（図１２）は、上記記憶された受信リストから１つのサービス（ＩＤ番号）を選択する（ステップＳ７２）。
【０１７０】
次に、ＥＩＴ検出部１１９は、選択したサービス（ＩＤ番号）に対応するＥＩＴが検出されたか否かを判別する（ステップＳ９３）。
【０１７１】
ＥＩＴが検出された場合、ＥＩＴ検出部１１９は、受信リスト作成部１１７に記憶されている受信リストにおいて、ステップＳ７２において選択したサービスの受信状態を受信可能に変更する（ステップＳ１０２）。
【０１７２】
次に、ＥＩＴ検出部１１９は、ステップＳ６３において作成された受信リストの全てのサービスについて、上記ステップＳ７２〜Ｓ１０２の処理が終了したか否かを判別する（ステップＳ１１２）。
【０１７３】
全てのサービスについて処理が終了していると判別された場合、制御部１１２（図１２）はステップＳ１２１へ進む。
【０１７４】
ステップＳ９３においてＥＩＴが検出されない場合、ＥＩＴ検出部１１９は、受信リストの受信状態を変更することなくステップＳ１１２へ進む。
【０１７５】
ステップＳ１１２において、全てのサービスについて処理が終了していないと判別された場合、すなわち受信状態の判別処理が行われていないサービスがある場合、ＥＩＴ検出部１１９は、ステップＳ７２に戻り、判別処理が行われていないサービスの中から１つのサービスを選択する。
【０１７６】
（ｃ）本実施の形態における効果
以上のように、本実施の形態に係るテレビジョン受像機４００においては、チャンネルスキャンを行う際に、受信したＥＩＴに対応するサービスのみを受信可能と判定する。したがって、テレビジョン受像機４００が高階層の放送信号を受信できない場合に、高階層で放送されるサービスが受信可能と判定されることを防止することができる。
【０１７７】
また、視聴者は、受信可能と判定されたサービスのみを選択することができる。それにより、サービスの選択に要する時間を短縮することができる。
【０１７８】
また、受信可能と判定されたサービスのＩＤ番号に基づいて電子番組ガイドデータを生成することができる。それにより、受信できないサービスが電子番組ガイドに組み込まれることを防止することができる。
【０１７９】
以上の結果、視聴者は、快適な選局操作を行うことができる。
【０１８０】
また、各放送局はサービスリストデータを低階層の放送信号に多重して送信することができるので、当該サービスリストデータをテレビジョン受像機４００に確実に受信させることができる。
【０１８１】
また、本実施の形態に係るテレビジョン受像機４００は、受信可能な階層を判定することなく、受信可能なサービスを特定することができる。したがって、放送信号の受信強度を測定する必要がないので、テレビジョン受像機４００の構成要素の簡略化が可能になる。それにより、テレビジョン受像機４００の製造工程および製造コストの低減が可能になる。
【０１８２】
また、一般に、ＥＩＴは対応するサービスが放送休止中である場合にも送信されている。したがって、本実施の形態においては、テレビジョン受像機４００は、一時的に放送休止中となっているサービスについても受信可能と判別することができる。それにより、放送が再開されることによって受信可能となるサービスをテレビジョン受像機４００が受信不可能と判別することを防止することができる。その結果、受信可能なサービスをより確実に判別することが可能となる。
【０１８３】
（５）第５の実施の形態
第５の実施の形態に係るテレビジョン受像機が、第３および第４の実施の形態に係るテレビジョン受像機３００，４００（図８および図１２）と異なるのは以下の点である。
【０１８４】
図１４は、第５の実施の形態に係るテレビジョン受像機の構成を示すブロック図である。
【０１８５】
図１４に示すように、本実施の形態に係るテレビジョン受像機５００においては、図８のＰＭＴ検出部１１８および図１２のＥＩＴ検出部１１９の両方が設けられている。
【０１８６】
本実施の形態においては、ＴＳデコーダ１０３は、復調部１０２から出力されたトランスポートストリームから、音声ストリーム、映像ストリーム、電子番組ガイドデータ、データ放送関係のデータ、サービスリストデータ、ＰＭＴおよびＥＩＴを分離する。また、ＴＳデコーダ１０３は、上記分離したサービスリストデータを受信リスト作成部１１６へ出力し、上記分離したＰＭＴをＰＭＴ検出部１１８へ出力し、上記分離したＥＩＴをＥＩＴ検出部１１９へ出力する。
【０１８７】
図１５は、本実施の形態において受信リスト作成部１１６が作成する初期状態の受信リストの一例を示す模式図である。図１５に示すように、本実施の形態においては、受信リストは、各サービスのＩＤ番号と、そのサービスに対応するＥＩＴおよびＰＭＴの受信状態とを含む。なお、受信リスト作成部１１６は、初期状態では、ＥＩＴおよびＰＭＴがともに受信されていない状態であるとして受信リストを作成する。
【０１８８】
ＰＭＴ検出部１１８は、ＴＳデコーダ１０３から出力されたＰＭＴを検出した場合に、受信状態記憶部１１７に記憶される受信リストの対応するＰＭＴ受信状態を受信可能に変更する。
【０１８９】
ＥＩＴ検出部１１９は、ＴＳデコーダ１０３から出力されたＥＩＴを検出した場合に、受信状態記憶部１１７に記憶される受信リストの対応するＥＩＴ受信状態を受信可能に変更する。
【０１９０】
なお、ＰＭＴ検出部１１８およびＥＩＴ検出部１１９は、図１０および図１３のフローチャートで説明した動作と同様の動作により、受信状態の判別を行う。
【０１９１】
ここで、一般に、ＰＭＴは、対応するサービスが放送休止中である場合には、送信されない。一方、ＥＩＴは、対応するサービスが放送休止中である場合にも送信されている。
【０１９２】
そこで、本実施の形態においては、制御部１１２および編集部１０６は、ＥＩＴを受信しているサービスは受信可能であるとし、ＥＩＴを受信しているがＰＭＴを受信していないサービスは、放送休止中であるとし、ＥＩＴおよびＰＭＴを受信していないサービスは受信不可能であると判定する。
【０１９３】
つまり、本実施の形態においては、現在受信していないサービスについて、受信不可能であるのか、あるいは受信可能であるが放送休止中であるのかを判定することができる。それにより、放送休止中のサービスを受信不可能と判定することを防止できる。
【０１９４】
この場合、例えば、編集部１０６は、受信状態記憶部１１７に記憶される受信リストに基づいて電子番組ガイドデータを編集するので、放送休止中のサービスについては、電子番組ガイドにおいて放送休止中であると表示することができる。それにより、受信可能なサービスをより正確に視聴者に認識させることができる。
【０１９５】
また、例えば、放送中であると判定されたサービスについてのみ指定信号を生成するように制御部１１２を設定することができる。この場合、視聴者は放送中のサービスのみを選択することができるので、サービスの選択に要する時間を短縮することができる。
【０１９６】
また、例えば、放送休止中であると判定されたサービスを視聴者が選択した場合には、そのサービスが放送休止中であることを表示装置に表示することができる。それにより、視聴者はサービスの受信状態をより正確に認識することができる。
【０１９７】
以上の結果、視聴者は、より快適な選局操作を行うことができる。
【０１９８】
（６）他の構成
上記実施の形態においては、デジタル放送受信機がテレビジョン受像機である場合について説明したが、デジタル放送受信機が、携帯電話、カーテレビ、カーナビ、ＰＤＡなどの移動受信機であっても良い。また、デジタル放送受信機がＤＶＤ（デジタルバーサタイルディスク）再生装置、ＤＶＤ記録再生装置、ハードディスク記録再生装置、セットトップボックス（ＳＴＢ）、またはデジタルチューナを備えたパーソナルコンピューター等であってもよい。この場合、音声出力部１０５は、音声出力装置を有さず音声出力端子を有し、映像出力部１０８は、映像表示装置を有さず映像出力端子を有する。音声出力端子および映像出力端子は、テレビジョン受像機の音声入力端子および映像入力端子に接続される。あるいは、音声出力端子および映像出力端子は、ディスプレイパネルの音声入力端子および映像入力端子に接続される。
【０１９９】
また、上記実施の形態においては、各放送局が異なる２つの変調方式により放送を行っている場合について説明したが、異なる３つ以上の変調方式により放送を行っている場合にも、同様の構成により受信可能なサービスを判別することができる。
【０２００】
また、上記実施の形態においては、受信強度検出部１０９および放送信号検出部１１５は、選局部１０１から出力される放送信号を検出することにより、選局部１０１が放送信号を受信しているか否かを判別しているが、選局部１０１から出力される放送信号のレベルに基づいて選局部１０１が放送信号を受信しているか否かを判別してもよい。
【０２０１】
例えば、選局部１０１から出力される放送信号のレベルが所定のしきい値以上の場合には、選局部１０１が放送信号を受信していると判別し、選局部１０１から出力される放送信号のレベルが所定のしきい値より小さい場合には、選局部１０１が放送信号を受信していないと判別してもよい。なお、しきい値としては、例えば、低階層の放送信号が受信可能となる限界の値を用いることができる。
【０２０２】
また、上記実施の形態においては、放送信号のレベルにより受信強度を検出しているが、Ｃ／Ｎ（キャリア／ノイズ：Carrier to Noise ratio）比に基づいて受信強度を検出してもよく、復調部１０２またはＡＶデコーダ１０４における復調時のエラー率に基づいて受信強度を検出してもよい。
【０２０３】
（７）請求項の各構成要素と実施の形態の各部との対応
以下、請求項の各構成要素と実施の形態の各部との対応の例について説明するが、本発明は下記の例に限定されない。
【０２０４】
上記実施の形態では、選局部１０１が受信手段に相当し、復調部１０２が復調手段に相当し、サービスリストデータがサービスの一覧情報に相当し、ＴＳデコーダ１０３が抽出手段に相当し、受信強度検出部１０９が階層判定手段に相当し、判別部１１０、ＰＭＴ検出部１１８またはＥＩＴ検出部１１９が選別手段に相当し、制御部１１２が選択手段に相当し、階層情報がサービスの階層に関する情報に相当し、ＩＤ番号がサービスを特定するための情報に相当し、ＩＤ別階層情報がサービスを特定するための情報と階層との関係に相当し、階層情報記憶部１１４が記憶部に相当し、判別部１１０が判別手段に相当し、制御部１１２が受信状態判定手段に相当する。
【産業上の利用可能性】
【０２０５】
本発明は、一般的なテレビジョン受信機、パーソナルコンピュータ、ＤＶＤレコーダ、携帯電話等のデジタル放送受信機能を有する各種デジタル放送受信装置に利用可能である。
【図面の簡単な説明】
【０２０６】
【図１】第１の実施の形態に係るテレビジョン受像機の構成を示すブロック図
【図２】各放送局から送信されるサービスリストデータの一例を示す模式図
【図３】図１のテレビジョン受像機のチャンネルスキャン動作を示すフローチャート
【図４】第２の実施の形態に係るテレビジョン受像機の構成を示すブロック図
【図５】各放送局から送信されるサービスリストデータの一例を示す模式図
【図６】ＩＤ別階層情報の一例を示す模式図
【図７】図４のテレビジョン受像機のチャンネルスキャン動作を示すフローチャート
【図８】第３の実施の形態に係るテレビジョン受像機の構成を示すブロック図
【図９】初期状態の受信リストの一例を示す模式図
【図１０】受信状態が変更された受信リストの一例を示す模式図
【図１１】図８のテレビジョン受像機のチャンネルスキャン動作を示すフローチャート
【図１２】第４の実施の形態に係るテレビジョン受像機の構成を示すブロック図
【図１３】図１２のテレビジョン受像機のチャンネルスキャン動作を示すフローチャート
【図１４】第５の実施の形態に係るテレビジョン受像機の構成を示すブロック図
【図１５】第５の実施の形態における初期状態の受信リストの一例を示す模式図
【図１６】デジタル放送受信機の設置場所と放送信号の受信エリアとの関係を示す図
【符号の説明】
【０２０７】
１００，２００，３００，４００，５００    テレビジョン受像機
１０１    選局部
１０２    復調部
１０３    ＴＳデコーダ
１０４    ＡＶデコーダ
１０５    音声出力部
１０６    編集部
１０７    合成部
１０８    映像出力部
１０９    受信強度検出部
１１０    判別部
１１１    サービスリスト記憶部
１１２    制御部
１１３    入力部
１１４    階層情報記憶部
１１５    放送信号検出部
１１６    受信リスト作成部
１１７    受信状態記憶部
１１８    ＰＭＴ検出部
１１９    ＥＩＴ検出部
９０１    アンテナ
９０２    リモコン
【図１】
2007325153.tif 000003
【図２】
2007325153.tif 000004
【図３】
2007325153.tif 000005
【図４】
2007325153.tif 000006
【図５】
2007325153.tif 000007
【図６】
2007325153.tif 000008
【図７】
2007325153.tif 000009
【図８】
2007325153.tif 000010
【図９】
2007325153.tif 000011
【図１０】
2007325153.tif 000012
【図１１】
2007325153.tif 000013
【図１２】
2007325153.tif 000014
【図１３】
2007325153.tif 000015
【図１４】
2007325153.tif 000016
【図１５】
2007325153.tif 000017
【図１６】
2007325153.tif 000018